【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
取り込んだ画像を順次表示するように制御する画像表示制御手段と、
前記画像表示制御手段で表示制御された所望の画像を指定する画像指定手段と、
前記取り込んだ画像全体の所定時刻期間を示すスケールを表示するように制御するとともに、前記スケール上で特定時間帯に対応する距離を拡大または縮小して表示するように制御するスケール表示制御手段と、
前記スケール上に前記画像指定手段により指定された指定時刻としての画像の所定時刻に対応する位置を示す指標を表示するように制御する指標表示制御手段と、
を備えることを特徴とする画像表示装置。
【請求項２】
前記スケール表示制御手段は、前記スケール上で時間に対応する距離を、前記指定時刻に対応する位置を基点とした関数で定義して、前記スケールを表示するように制御することを特徴とする請求項１に記載の画像表示装置。
【請求項３】
前記関数は、前記指定時刻から時間的に離れるほど、時間に対する距離が短くなる関数であることを特徴とする請求項２に記載の画像表示装置。
【請求項４】
前記関数は、前記指定時刻を基点とした時間をｘ、前記画像表示装置における画面上の前記指定時刻に対応する座標を基準とした相対座標値をｙ、定数をｋとした時に、ｙ＝ｋ√|ｘ|で、定義されることを特徴とする請求項３に記載の画像表示装置。
【請求項５】
前記スケール表示制御手段は、
前記取り込んだ画像全体の所定時刻期間を示す第１のスケールと、前記特定時間帯において前記第１のスケールと別の位置に配置される第２のスケールとを表示するように制御することを特徴とする請求項１に記載の画像表示装置。
【請求項６】
前記スケール表示制御手段は、
前記第１のスケール上に、前記第２のスケールに対応する範囲を判別自在な形式で現した分別部を表示するように制御することを特徴とする請求項５に記載の画像表示装置。
【請求項７】
前記スケール表示制御手段は、
前記分別部を、前記第１のスケールにおける所定範囲を空白領域で表示するように制御することを特徴とする請求項６に記載の画像表示装置。
【請求項８】
前記スケール表示制御手段は、
前記第１のスケールにおける前記分別部と前記第２のスケールとのそれぞれ対応する位置を結ぶ線状図示部を表示するように制御することを特徴とする請求項７に記載の画像表示装置。
【請求項９】
前記スケール表示制御手段は、
前記第１および第２のスケールと前記線状図示部とをほぼ同等の幅の帯形状で、かつ俯瞰図として表示するように制御することを特徴とする請求項８に記載の画像表示装置。
【請求項１０】
前記スケール表示制御手段は、
前記第２のスケールを前記第１のスケールに対して平行に表示するように制御することを特徴とする請求項５に記載の画像表示装置。
【請求項１１】
前記スケール表示制御手段は、
前記第２のスケールを前記第１のスケールにおける前記空白領域内に所定の範囲で複数の屈曲部を有して表示するように制御することを特徴とする請求項７に記載の画像表示装置。
【請求項１２】
前記スケール表示制御手段は、
前記第２のスケールを前記第１のスケールに対して垂直に表示するように制御することを特徴とする請求項１１に記載の画像表示装置。
【請求項１３】
取り込んだ画像を順次表示するように制御する画像表示制御ステップと、
前記画像表示制御ステップで表示制御された所望の画像を指定する画像指定ステップと、
前記取り込んだ画像全体の所定時刻期間を示すスケールを表示するように制御するとともに、前記スケール上で特定時間帯に対応する距離を拡大または縮小して表示するように制御するスケール表示制御ステップと、
前記スケール上に前記画像指定ステップにより指定された指定時刻としての画像の所定時刻に対応する位置を示す指標を表示するように制御する指標表示制御ステップと、
を含むことを特徴とする画像表示方法。
【請求項１４】
前記スケール表示制御ステップは、
前記スケール上で時間に対応する距離を、前記指定時刻に対応する位置を基点とした関数で定義して、前記スケールを表示するように制御することを特徴とする請求項１３に記載の画像表示方法。
【請求項１５】
前記スケール表示制御ステップは、
前記関数として前記指定時刻から時間的に離れるほど、時間に対する距離が短くなる関数で、前記スケール上で時間に対応する距離を定義して、前記スケールを表示するように制御することを特徴とする請求項１４に記載の画像表示方法。
【請求項１６】
前記スケール表示制御ステップは、
前記関数として前記指定時刻を基点とした時間をｘ、前記画像表示装置における画面上の前記指定時刻に対応する座標を基準とした相対座標値をｙ、定数をｋとした時に、ｙ＝ｋ√|ｘ|の関数で、前記スケール上で時間に対応する距離を定義して、前記スケールを表示するように制御することを特徴とする請求項１５に記載の画像表示方法。
【請求項１７】
前記スケール表示制御ステップは、
前記取り込んだ画像全体の所定時刻期間を示す第１のスケールと、前記特定時間帯において前記第１のスケールと別の位置に配置される第２のスケールとを表示するように制御することを特徴とする請求項１３に記載の画像表示方法。
【請求項１８】
前記スケール表示制御ステップは、
前記第１のスケール上に、前記第２のスケールに対応する範囲を判別自在な形式で現した分別部を表示するように制御することを特徴とする請求項１５に記載の画像表示方法。
【請求項１９】
前記スケール表示制御ステップは、
前記分別部を、前記第１のスケールにおける所定範囲を空白領域で表示するように制御することを特徴とする請求項１８に記載の画像表示方法。
【請求項２０】
前記スケール表示制御ステップは、
前記第１のスケールにおける前記分別部と前記第２のスケールとのそれぞれ対応する位置を結ぶ線状図示部を表示するように制御することを特徴とする請求項１８に記載の画像表示方法。
【請求項２１】
前記スケール表示制御ステップは、
前記第１および第２のスケールと前記線状図示部とをほぼ同等の幅の帯形状で、かつ俯瞰図として表示するように制御することを特徴とする請求項２０に記載の画像表示方法。
【請求項２２】
前記スケール表示制御ステップは、
前記第２のスケールを前記第１のスケールに対して平行に表示するように制御することを特徴とする請求項１５に記載の画像表示方法。
【請求項２３】
前記スケール表示制御ステップは、
前記第２のスケールを前記第１のスケールにおける前記空白領域内に所定の範囲で複数の屈曲部を有して表示するように制御することを特徴とする請求項１９に記載の画像表示方法。
【請求項２４】
前記スケール表示制御ステップは、
前記第２のスケールを前記第１のスケールに対して垂直に表示するように制御することを特徴とする請求項２３に記載の画像表示方法。
【請求項２５】
取り込んだ画像を順次表示するように制御する画像表示制御ステップと、
前記画像表示制御ステップで表示制御された所望の画像を指定する画像指定ステップと、
前記取り込んだ画像全体の所定時刻期間を示すスケールを表示するように制御するとともに、前記スケール上で特定時間帯に対応する距離を拡大または縮小して表示するように制御するスケール表示制御ステップと、
前記スケール上に前記画像指定ステップにより指定された指定時刻としての画像の所定時刻に対応する位置を示す指標を表示するように制御する指標表示制御ステップと、
を含むことを特徴とする画像表示プログラム。
【請求項２６】
前記スケール表示制御ステップは、前記スケール上で時間に対応する距離を、前記指定時刻に対応する位置を基点とした関数で定義して、前記スケールを表示するように制御することを特徴とする請求項２５に記載の画像表示プログラム。
【請求項２７】
前記スケール表示制御ステップは、
前記取り込んだ画像全体の所定時刻期間を示す第１のスケールと、前記特定時間帯において前記第１のスケールと別の位置に配置される第２のスケールとを表示するように制御することを特徴とする請求項２５に記載の画像表示プログラム。